(57)【要約】【課題】組み替えが簡便に行え、水平方向での形態変化を楽しむことができるコマ玩具を提供すること。【解決手段】胴部４０と軸部１０を備えたコマ玩具１において、前記胴部４０又は前記軸部１０の少なくとも一方を構成し縦割り状態で回転軸１１に直交する面に沿って並ぶ複数の分割片４０Ａ，４０Ｂと、隣り合う前記分割片４０Ａ，４０Ｂ同士を着脱可能に連結する連結手段５０とを備え、前記分割片４０Ａ，４０Ｂは同じ前記連結手段を有する他の分割片と組み替え可能に構成されているたことを特徴とする。【選択図】図１
2019013496.tif 000002
【特許請求の範囲】
【請求項１】
胴部と軸部を備えたコマ玩具において、前記胴部又は前記軸部の 少なくとも一方を構成し 縦割り状態で回転軸に直交する面に沿って並ぶ複数の分割片と、隣り合う前記分割片同士を着脱可能に連結する連結手段とを備え、前記分割片は同じ前記連結手段を有する他の分割片と組み替え可能に構成されていることを特徴とするコマ玩具。
【請求項２】
前記複数の分割片は、前記胴部の外観を構成するとともに、平面視で前記胴部の輪郭を構成していることを特徴とする請求項１に記載のコマ玩具。
【請求項３】
前記分割片には前記胴部の半径方向外方に張り出す張出し部が形成されていることを特徴とする請求項２に記載のコマ玩具。 
【請求項４】
前記連結手段は、前記隣り合う分割片の一方側に形成された凸部と、他方側に形成された凹部とから構成され、前記隣り合う分割片は、前記凸部と前記凹部とを嵌合することによって連結されるように構成されていることを特徴とする請求項１から請求項３のいずれか一項に記載のコマ玩具。
【請求項５】
前記胴部は、平面視で半月状の２つの前記分割片を備え、前記２つの前記分割片を直径方向で互いに反対方向に動作させることで前記凸部と前記凹部とが嵌合するように構成されていることを特徴とする請求項４に記載のコマ玩具。
【請求項６】
前記凸部と前記凹部とを嵌合した状態で前記２つの前記分割片の間に１つの穴が形成され、前記穴にストッパを挿入することで、前記２つの前記分割片の連結状態が保持されることを特徴とする請求項５に記載のコマ玩具。
【発明の詳細な説明】
【技術分野】
【０００１】
本発明はコマ玩具に関するものである。
【背景技術】
【０００２】
コマ玩具を使用したバトルゲームとして、コマ玩具を互いに衝突させ、その衝撃力によって相手方のコマ玩具の回転を止めたり、相手方のコマ玩具を弾き飛ばしたり、相手方のコマ玩具を分解させたりするものがある。
このようなバトルゲーム用コマ玩具は、相手方のコマ玩具と衝突する部分、即ち胴部の周面にブレード状の張出し部を形成し、その張出し部を衝突させることとしている。
【０００３】
この種のコマ玩具として、胴部を縦方向（上下方向）に積み重ねられる層状の複数の胴片（分割片）で構成したものが知られている（例えば、特許文献１参照）。この種のコマ玩具によれば、外形、重量又は材質が異なる代替の胴片を用意しておき、胴片の交換を胴片単位で行うことでコマ玩具の特性を変化させることができる。
【先行技術文献】
【特許文献】
【０００４】
【特許文献１】実用新案登録３０７９２６９号公報
【発明の概要】
【発明が解決しようとする課題】
【０００５】
ところで、コマ玩具は、最外周の凹凸部で相手方のコマ玩具等に衝接する。そのため、胴部の外形で見た場合、コマ玩具の特性は、胴部の最外周の凹凸部の形状に大きく依存することになる。
したがって、胴部の最外周の凹凸部の形状を変えてコマ玩具の特性を変化させようとすれば、上記コマ玩具の場合、胴部の最外周の凹凸部を構成する胴片の外形を変化させることが必要となる。
しかしながら、上記コマ玩具の場合、層状の胴片を積み重ねる構造であることから、一体構造の胴部に比べて、１枚１枚の胴片は薄くて脆くならざるを得ない。そのため、上記コマ玩具の場合、相手方のコマ玩具等との衝接に十分に耐える構造とするため、胴部の最外周の凹凸部を構成する略同一外形を有する胴片を複数積み重ねることが必要となるが、略同一外形を有する胴片を複数用意しておくことは面倒である。
また、コマ玩具の特性は、胴部の重量や材質にも依存する。重量や材質が変化すれば相手方のコマ玩具に与える或いは自分のコマ玩具が受ける衝撃力や回転特性等が変化するからである。
しかしながら、上記コマ玩具の場合、１枚１枚の胴片自体は均一な材料で構成されていおり、概ね、円周方向でバランスが取れた形状となっているため、例えば、重量が異なる胴片に交換しても重心が縦方向に変化するだけである。また、材質が異なる胴片に交換したとしても、特性は円周方向で一様となる。つまり、コマ玩具は円周方向のどの箇所で当たったかに拘わらず例えば緩衝効果は一様となる。
なお、意匠的に見れば、特に、胴部の上面は看者の目にとまり易い部分であるが、上記コマ玩具の場合、最上の胴片を交換しない限り、意匠的変化も楽しめない。
【０００６】
本発明は、かかる点に鑑みなされたもので、組み替えが簡便に行え、水平方向での形態変化を楽しむことができるコマ玩具を提供することを目的とする。
【課題を解決するための手段】
【０００７】
第１の手段は、胴部と軸部を備えたコマ玩具において、前記胴部又は前記軸部の 少なくとも一方を構成し 縦割り状態で回転軸に直交する面に沿って並ぶ複数の分割片と、隣り合う前記分割片同士を着脱可能に連結する連結手段とを備え、前記分割片は同じ前記連結手段を有する他の分割片と組み替え可能に構成されていることを特徴とする。
【０００８】
第２の手段は、第１の手段であって、前記複数の分割片は、前記胴部の外観を構成するとともに、平面視で前記胴部の輪郭を構成していることを特徴とする。
【０００９】
第３の手段は、第２の手段であって、前記分割片には前記胴部の半径方向外方に張り出す張出し部が形成されていることを特徴とする。
【００１０】
第４の手段は、第１の手段から第３の手段のいずれか一の手段であって、前記連結手段は、前記隣り合う分割片の一方側に形成された凸部と、他方側に形成された凹部とから構成され、前記隣り合う分割片は、前記凸部と前記凹部とを嵌合することによって連結されるように構成されていることを特徴とする。
【００１１】
第５の手段は、第４の手段であって、前記胴部は、平面視で半月状の２つの前記分割片を備え、前記２つの前記分割片を直径方向で互いに反対方向に動作させることで前記凸部と前記凹部とが嵌合するように構成されていることを特徴とする。
【００１２】
第６の手段は、第５の手段であって、前記凸部と前記凹部とを嵌合した状態で前記２つの前記分割片の間に１つの穴が形成され、前記穴にストッパを挿入することで、前記２つの前記分割片の連結状態が保持されることを特徴とする請求項５に記載のコマ玩具。
【発明の効果】
【００１３】
第１の手段によれば、一部の分割片を代替の分割片に変更することができるので、簡単に、自分好みにコマ玩具の外観を形成したり、コマ玩具の特性を変更したりすることができる。具体的には、比較的均一な分割片を、色、模様、形状若しくは構造又はこれらの組み合わせ等の形態が異なる分割片に組み替えることによって、自分好みのコマ玩具に変化させることができる。構造の中には、材質や重量も含まれる。
第２の手段によれば、コマ玩具の外観や特性を大きく変えることができる。
【００１４】
第３の手段によれば、分割片と代替の分割片との交換によって攻撃力を変化させることができる。
【００１５】
第４の手段によれば、連結手段が凸部と凹部とによって形成されているため、簡単に分割片の着脱ができることになる。
【００１６】
第５の手段によれば、２つの前記分割片を直径方向で互いに反対方向にスライドさせることで簡単に組み付けることができる。
【００１７】
第６の手段によれば、ストッパによって凸部と凹部との嵌合が外れるのが阻止されるので、回転中に２つの前記分割片が外れるのを防止することができる。
【図面の簡単な説明】
【００１８】
【図１】実施形態に係るコマ玩具とランチャ（コマ発射装置）とを示した斜視図である。
【図２】本実施形態のコマ玩具の遊び方を説明するための斜視図である。
【図３】本実施形態のコマ玩具の軸部を示した斜視図である。
【図４】本実施形態のコマ玩具の軸部を示した縦断斜視図である。
【図５】本実施形態のコマ玩具のフライホイールを上方から見た状態を示した斜視図である。
【図６】本実施形態のコマ玩具のフライホイールを下方から見た状態を示した斜視図である。
【図７】本実施形態のコマ玩具の胴部を上方から見た状態を示した斜視図である。
【図８】本実施形態のコマ玩具の胴部を下方から見た状態を示した斜視図である。
【図９】本実施形態の結合手段を示した胴部の分解斜視図である。
【図１０】本実施形態の結合手段の結合を説明するための模式図である。
【図１１】本実施形態の胴部の他の結合態様を示した斜視図である。
【図１２】本実施形態の胴部のさらに他のコマ玩具の胴部を示した斜視図である。
【発明を実施するための形態】
【００１９】
以下、本発明のコマ玩具を図面に示した実施形態に基づいて説明する。
【００２０】
（全体構成）
図１は、本実施形態のコマ玩具１及びランチャ（コマ発射玩具）６０を備えた玩具セットを示している。
このうちコマ玩具１は、いわゆるバトルゲームに使用することが可能なコマ玩具である。このコマ玩具１は、例えば、互いの衝突による衝撃力で相手方のコマ玩具１を図２に示すように分解させて遊ぶようなバトルゲームに使用される。
このコマ玩具１は、図２に示すように、軸部１０、フライホイール３０及び胴部４０によって構成されている。
【００２１】
（細部構成）
１．軸部１０
図３は軸部１０を示した斜視図であり、図４はその縦断面図である。軸部１０の説明において、上下、左右、前後は図３に示す方向を言うものとする。
このうち軸部１０は、下端部に接地部である回転軸１１、上下方向中間部に鍔１２、上端部に円筒体１３を備えている。
鍔１２と円筒体１３とは一体に形成されている。円筒体１３の軸心には柱体１４が設けられている。この柱体１４の上端部は大径となっており、その大径部分１４ａ の外周には前後それぞれに半径方向外方に張り出す爪１７が１個ずつ形成されている。この柱体１４は、軸下部１０ａに固定して設けられている。軸下部１０ａの外周面は、鍔１２側から回転軸１１の先端側に向けて段階的に縮径し、全体として略逆円錐状に形成されている。この軸下部１０ａは、図示しないねじ等によって鍔１２に固定されている。
鍔１２及び円筒体１３には、前後それぞれに孔１３ａが１個ずつ鍔１２及び円筒体１３に亘って形成されている。また、円筒体１３の外周面には、左右それぞれに突出部１６が１個ずつ形成されている。各突出部１６の外面は鍔１２の外周面と面一となっている。
【００２２】
また、軸部１０は円筒状の押圧部材１８を備えている。押圧部材１８は、柱体１４の上端部の外側に嵌まり合う形の環状の天板１８ｂを有するとともに、内部は中空で下方に開口している。この押圧部材１８は、円筒体１３の内側で柱体１４を取り囲むようにして設置されている。押圧部材１８の下端部外周には、前後それぞれに半径方向外方に張り出す脚部１８ａが１個ずつ形成されている。
【００２３】
この押圧部材１８は、各脚部１８ａがそれに対応する孔１３ａから露出するように組み付けられる。この孔１３ａは脚部１８ａの上下方向の移動を許容するが、孔１３ａの上縁で上方への移動を規制する。また、押圧部材１８は、スプリング１９によって上方に付勢され、常態では、押圧部材１８の上端面は円筒体１３の上端と略同一高さ位置となる。
なお、押圧部材１８の上面には、左右それぞれに半径方向に延びる凸条（突起）２０が１個ずつ形成されている。
【００２４】
２．フライホイール３０
図５はフライホイール３０を上方から見た斜視図、図６はフライホイール３０を下方から見た斜視図である。
フライホイール３０は環状に形成されている。フライホイール３０の底面内周側には軸部１０の鍔１２を下方から収容可能な環状段部３０ａが形成されている。このフライホイール３０の上面には左右それぞれに上方に向けて張り出す突出部３１が１個ずつ形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２５】
３．胴部４０
図７は胴部４０を上方から見た状態を示した斜視図、図８は胴部４０を下方から見た状態を示した斜視図である。なお、胴部４０の説明において上下、左右、前後は特に断らない限り図７に示す方向を言うものとする。
【００２６】
胴部４０は、円盤状を成しており、前後方向に縦割り状態で２分割されている。胴部４０Ａ，４０Ｂは、ほぼ点対称の形状となっている。そして、これらの分割片である胴片４０Ａ，４０Ｂは後述する連結手段５０によって互いに一体化されている。
具体的に説明すれば、胴部４０Ａ，４０Ｂの上面は、分割部Ｃにおける直径方向の一方の端部が相手方胴部に向けて矩形状に張出し、分割部Ｃにおける直径方向の他方の端部が矩形状に切り欠かれている。胴部４０Ａ，４０Ｂの上面張出し部Ｃ１と上面切欠部Ｃ２は、平面視でほぼ同じ形状・大きさである。また、胴部４０Ａ，４０Ｂの上面は、分割部Ｃにおける直径方向の中央部が平面視で半月状に切り欠かれている。
そして、胴片４０Ａ，４０Ｂを互いに組み付けたときに、全体として円盤状を成し、胴部４０の中心には円形の孔４１が形成される。
このように形成された胴部４０の周囲には、相手方のコマ玩具に衝突するブレード状の張出し部４２が形成されている。胴片４０Ａの張出し部４２と、胴片４０Ｂの張出し部４２とを区別する場合には、前者には符号４２ａ、後者には符号４２ｂを用いる。
また、胴部４０には、左右それぞれにフライホイール３０の各舌片３３を下方から挿入可能な孤状スリット４３が１個ずつ形成されている。この各孤状スリット４３の幅は、円周方向の一端側が広く、他端側が狭くなっている。
また、胴部４０の下面中央部には、上記孔４１の縁を下方に延出した形の円筒壁４４が形成されている。円筒壁４４の下端には内方に張出す爪４５が形成されている。隣り合う爪４５の間には切欠部４６が形成されている。そして、爪４５の円周方向の一端部の下面には、放射方向に延びる凸条を円周方向に所定間隔で複数本配した起伏部４７が形成されている。
【００２７】
４．連結手段５０
図９は胴部４０の胴片４０Ａと胴片４０Ｂとが分離している状態の斜視図である。
連結手段５０は、胴片４０Ａ，４０Ｂに設けた凹溝５１及び凸条５２と、胴部４０の孔４１に嵌合する識別部材５３とによって構成されている。識別部材５３は自他のコマ玩具４１を識別するためのもので、識別部材５３毎に形状や色が異なっている。
胴部４０Ａ，４０Ｂの上面張出し部Ｃ１の下方には、側面に向けて開口し直径方向に延在する断面Ｔ字状の凹溝５１が形成されている。凹溝５１の内端は開放され、胴部４０Ａ，４０Ｂの上面張出し部Ｃ１の内端の直下に位置している。また、胴部４０Ａ，４０Ｂの上面切欠部Ｃ２が形成された領域には、断面Ｔ字状の凸条５２が形成されている。凸条５２の内端は、胴部４０Ａ，４０Ｂの上面切欠部Ｃ２の内端の直下に位置している。この凸条５２は、平面視では、胴部４０Ａ，４０Ｂの上面切欠部Ｃ２から突出している。
【００２８】
また、識別部材５３の軸部５３ａの外周面には、下端が開放され上下方向に延在する溝部分５４ａと、溝部分５４ａの上端部に連結され斜め下方に向けて延在する溝部分５４ｂと、溝部分５４ｂの下端部に連結され水平方向に延在する溝部分５４ｃによってガイド溝５４が形成されている。この識別部材５３は胴部４０の孔４１に取り付けられる。なお、胴部４０の孔４１の内周面には、ガイド溝５４に係合する突起５５が形成されている。
【００２９】
（胴部４０の組立方法）
胴部４０は、図１０に示すように、胴片４０Ｂに対して胴片４０Ａを一方向から近づけ分割部Ｃ同士を摺動させ、胴片４０Ａの凸条５２を胴片４０Ｂの凹溝５１に挿嵌させるとともに、胴片４０Ａの凹溝５１を胴片Ｂの凸条５２に嵌合させる。その際、凸条５２は凹溝５１の外端を画成する端壁５１ａによって位置決めされる。
【００３０】
次いで、胴片４０Ａ，４０Ｂが組み付けられた胴部４０の孔４１に識別部材５３の軸部（挿入部）５３ａを挿入する。この状態では、識別部材５３の溝部分５４ａが胴部４０の孔４１の内周面に形成した突起５５に係合する。これにより、識別部材５３は所定の深さ位置まで孔４１に挿入される。その後、識別部材５３を所定方向に回転させると溝部分５４ｂに突起５５が係合し、回転に伴って、識別部材５３が孔４１に対して少し浮き上がる。そして、溝部分５４ｃに突起５５が至った所で識別部材５３が孔４１内に仮止めされる。
【００３１】
なお、胴部４０は、上記胴片４０Ａ，４０Ｂに限らず、例えば、図１１に示す胴片４０Ａに代えて、同様の連結手段５０を有する他の胴片４０Ｃを連結することができる。胴片４０Ｃは、図１２に示すように、他のコマ玩具の胴部４０を構成している。他のコマ玩具４０は胴片４０Ｃと胴片４０Ｄとによって胴部４０が構成されている。この胴片４０Ｃと胴片４０Ｄとは本実施形態と同じ連結手段５０を有している。図１１では、他のコマ玩具の胴片４０Ｃ，４０Ｄの張出し部を符号４２ｃ，４２ｄで示している。なお、色、模様、形状若しくは構造又はこれらの組み合わせ等の形態が異なる複数の胴片を予め単品で用意しておいてもよい。構造の例としては、材質が異なるもの、具体的にはプラスチックやゴム等のように材質が異なるものや、胴片の重さが異なるものが考えられる。 
【００３２】
（コマ玩具１の組立方法）
軸部１０の突出部１６を下方からフライホイール３０の凹部３２に合致させるようにして、軸部１０とフライホイール３０を嵌合状態に組み付ける。次に、この組付け体を胴部４０に下方から近付ける。
そして、フライホイール３０の舌片３３を下方から胴部４０の弧状スリット４３の一端部に挿入する。この状態は、軸部１０の爪１７と胴部４０の切欠部４６が合致する状態である。この状態が結合解除状態である。その後、上記組付け体の軸部１０を胴部４０側に押圧する。すると、まず、フライホイール３０が胴部４０の下面に押し当てられる。さらに、軸部１０内のスプリング１９が縮みながら押圧部材１８が下がり、軸部１０の爪１７が胴部４０の爪４５よりも上方に相対的に押し上げられる。すると、胴部４０の爪４５が軸部１０の爪１７の下側にくる。そして、軸部１０をフライホイール３０と一体的に所定方向（コマ玩具１の回転方向とは反対の方向）に回転させると、爪１７と爪４５とが上下で重なった状態となる。そして、軸部１０から手を離すと、軸部１０内のスプリング１９の付勢力によって、軸部１０の爪１７の下面と胴部４０の爪４５の上面とが当接される。この状態、すなわち軸部１０の爪１７の下面と胴部４０の爪４５の上面とが当接された状態が結合状態である。これにより、凸条２０と起伏部４７が噛合して、コマ玩具１が組み立てられる。
なお、この状態では、孔４１の下方から円筒体１３が入り込み識別部品４１の下端に当接する。これによって、胴片４０Ａ，４０Ｂの連結が確実に保持される。この識別部品４１がなくても胴片４０Ａ，４０Ｂの連結が確実に保持されるのであれば、識別部品４１は不要である。また、識別部品４１の代わりにねじを用いてもよい。
【００３３】
（遊び方等）
続いて、このコマ玩具１を使用しての遊び方の一例を説明する。
この場合、コマ玩具１の回転力のチャージは、図１に示すランチャ６０によって行われる。このランチャ６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転されるように構成されている。このコマホルダー６２の回転は、下方に突設されたフォーク６３によってコマ玩具１に伝達され、コマ玩具１を回転させる。この場合、フォーク６３は胴部４０の弧状スリット４３に差し込まれる。そして、ランチャ６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
【００３４】
このようにして発射されたコマ玩具１は、所定のフィールドで所定方向に回転され、相手コマ玩具１に衝突すると、衝突による衝撃力によって、胴部４０には軸部１０及びフライホイール３０の回転方向に対して反対方向の力が作用し、それによって、胴部４０が軸部１０及びフライホイール３０の回転方向に対して反対方向に相対的に回転する。
すると、胴部４０の下面の起伏部４７と凸条２０とは、胴部４０に対して軸部１０が相対回転をするに伴って、噛み合い位置を変更する。そして係止解除位置に達すると、胴部４０のフランジ４５の切欠部４６と軸部１０の爪１７が合致するため係止が解除され、軸部１０内のスプリング１９の付勢力によって胴部４０が軸部１０から離反する。
【００３５】
このコマ玩具１では、相手方のコマ玩具と衝突した場合、胴部４０の張出し部４２によって相手方のコマ玩具に強い衝撃を与える。その場合に、このコマ玩具１では、胴部４０を構成する胴片を組み替えることができるので、その結合状態に応じて形態が変化し、意匠や攻撃力が変化する。
【００３６】
以上、本発明を実施形態に基づいて説明したが、本発明は、かかる実施形態には限定されず、種々の変形が可能であることは言うまでもない。
例えば、上記実施形態では、胴部４０を略直径方向に延びる線によって縦割り状態で半割にしたが、例えば、胴片を扇状になるように分割することもできる。
さらに、連結手段５０も限定されない。例えば、胴片を上下方向から蟻溝と蟻 によって結合させるものでも良いし、胴片の分割部同士を対向させ分割部同士をそれに直交する方向から接近する方向に動作させて一方側の凸部と他方側の凹部を嵌合させるようにしてもよい。さらにまた、磁石によって胴片を結合させることもできる。
また、上記実施形態では、２つの胴片に胴部４０を分割しているが、３分割以上 であってもよい。さらにまた、胴部４０を等分するものだけではなく、例えば、３分の１の胴片のように等分でない部分を取り外すように構成することもできる。
【００３７】
また、上記実施形態では、胴部４０を分割しているが、胴部４０に限定することなく、軸部１０の一部（例えば軸下部１０ａ）を縦割り状態で分割し、その部分（付加部分）を重さや形態が異なるものとしてもよい。
【符号の説明】
【００３８】
１    コマ玩具
１０      軸部
１０ａ    軸下部
１１    回転軸
３０    フライホイール
４０    胴部
４０Ａ，４０Ｂ，４０Ｃ，４０Ｄ    胴片
４１    識別部材挿嵌穴
４２ａ，４２ｂ，４２ｃ，４２ｄ    張出し部
５０    連結手段
５１    凹溝
５２    凸条
５３    識別部材（ストッパ）
【図１】
2019013496.tif 000003
【図２】
2019013496.tif 000004
【図３】
2019013496.tif 000005
【図４】
2019013496.tif 000006
【図５】
2019013496.tif 000007
【図６】
2019013496.tif 000008
【図７】
2019013496.tif 000009
【図８】
2019013496.tif 000010
【図９】
2019013496.tif 000011
【図１０】
2019013496.tif 000012
【図１１】
2019013496.tif 000013
【図１２】
2019013496.tif 000014
【手続補正書】
【提出日】平成30年5月11日(2018.5.11)
【手続補正１】
【補正対象書類名】明細書
【補正対象項目名】０００７
【補正方法】変更
【補正の内容】
【０００７】
第１の手段は、胴部と軸部を備え、前記胴部を相手方コマ玩具と衝突させて遊ぶコマ玩具において、前記胴部を構成し縦割り状態で回転軸に直交する面に沿って並ぶ複数の分割片と、隣り合う前記分割片同士を着脱可能に連結する連結手段とを備え、前記分割片は同じ前記連結手段を有し且つ前記コマ玩具の特性に影響を与える形態が異なる他の分割片と組み替え可能に構成されていることを特徴とする。
【手続補正２】
【補正対象書類名】明細書
【補正対象項目名】００２６
【補正方法】変更
【補正の内容】
【００２６】
胴部４０は、円盤状を成しており、前後方向に縦割り状態で２分割されている。胴片４０Ａ，４０Ｂは、ほぼ点対称の形状となっている。そして、これらの分割片である胴片４０Ａ，４０Ｂは後述する連結手段５０によって互いに一体化されている。
具体的に説明すれば、胴片４０Ａ，４０Ｂの上面は、分割部Ｃにおける直径方向の一方の端部が相手方胴部に向けて矩形状に張出し、分割部Ｃにおける直径方向の他方の端部が矩形状に切り欠かれている。胴片４０Ａ，４０Ｂの上面張出し部Ｃ１と上面切欠部Ｃ２は、平面視でほぼ同じ形状・大きさである。また、胴片４０Ａ，４０Ｂの上面は、分割部Ｃにおける直径方向の中央部が平面視で半月状に切り欠かれている。
そして、胴片４０Ａ，４０Ｂを互いに組み付けたときに、全体として円盤状を成し、胴部４０の中心には円形の孔４１が形成される。
このように形成された胴部４０の周囲には、相手方のコマ玩具に衝突するブレード状の張出し部４２が形成されている。胴片４０Ａの張出し部４２と、胴片４０Ｂの張出し部４２とを区別する場合には、前者には符号４２ａ、後者には符号４２ｂを用いる。
また、胴部４０には、左右それぞれにフライホイール３０の各舌片３３を下方から挿入可能な孤状スリット４３が１個ずつ形成されている。この各孤状スリット４３の幅は、円周方向の一端側が広く、他端側が狭くなっている。
また、胴部４０の下面中央部には、上記孔４１の縁を下方に延出した形の円筒壁４４が形成されている。円筒壁４４の下端には内方に張出す爪４５が形成されている。隣り合う爪４５の間には切欠部４６が形成されている。そして、爪４５の円周方向の一端部の下面には、放射方向に延びる凸条を円周方向に所定間隔で複数本配した起伏部４７が形成されている。
【手続補正３】
【補正対象書類名】明細書
【補正対象項目名】００２７
【補正方法】変更
【補正の内容】
【００２７】
４．連結手段５０
図９は胴部４０の胴片４０Ａと胴片４０Ｂとが分離している状態の斜視図である。
連結手段５０は、胴片４０Ａ，４０Ｂに設けた凹溝５１及び凸条５２と、胴部４０の孔４１に嵌合する識別部材５３とによって構成されている。識別部材５３は自他のコマ玩具４１を識別するためのもので、識別部材５３毎に形状や色が異なっている。
胴片４０Ａ，４０Ｂの上面張出し部Ｃ１の下方には、側面に向けて開口し直径方向に延在する断面Ｔ字状の凹溝５１が形成されている。凹溝５１の内端は開放され、胴片４０Ａ，４０Ｂの上面張出し部Ｃ１の内端の直下に位置している。また、胴片４０Ａ，４０Ｂの上面切欠部Ｃ２が形成された領域には、断面Ｔ字状の凸条５２が形成されている。凸条５２の内端は、胴片４０Ａ，４０Ｂの上面切欠部Ｃ２の内端の直下に位置している。この凸条５２は、平面視では、胴片４０Ａ，４０Ｂの上面切欠部Ｃ２から突出している。
【手続補正４】
【補正対象書類名】特許請求の範囲
【補正対象項目名】全文
【補正方法】変更
【補正の内容】
【特許請求の範囲】
【請求項１】
胴部と軸部を備え、前記胴部を相手方コマ玩具と衝突させて遊ぶコマ玩具において、前記胴部を構成し縦割り状態で回転軸に直交する面に沿って並ぶ複数の分割片と、隣り合う前記分割片同士を着脱可能に連結する連結手段とを備え、前記分割片は同じ前記連結手段を有し且つ前記コマ玩具の特性に影響を与える形態が異なる他の分割片と組み替え可能に構成されていることを特徴とするコマ玩具。
【請求項２】
前記複数の分割片は、前記胴部の外観を構成するとともに、平面視で前記胴部の輪郭を構成していることを特徴とする請求項１に記載のコマ玩具。
【請求項３】
前記分割片には前記胴部の半径方向外方に張り出す張出し部が形成されていることを特徴とする請求項２に記載のコマ玩具。 
【請求項４】
前記連結手段は、前記隣り合う分割片の一方側に形成された凸部と、他方側に形成された凹部とから構成され、前記隣り合う分割片は、前記凸部と前記凹部とを嵌合することによって連結されるように構成されていることを特徴とする請求項１から請求項３のいずれか一項に記載のコマ玩具。
【請求項５】
前記胴部は、平面視で半月状の２つの前記分割片を備え、前記２つの前記分割片を直径方向で互いに反対方向に動作させることで前記凸部と前記凹部とが嵌合するように構成されていることを特徴とする請求項４に記載のコマ玩具。
【請求項６】
前記凸部と前記凹部とを嵌合した状態で前記２つの前記分割片の間に１つの穴が形成され、前記穴にストッパを挿入することで、前記２つの前記分割片の連結状態が保持されることを特徴とする請求項５に記載のコマ玩具。